(57)【要約】【課題】  モルタル、木造等の建造物における壁面、天板等の既設の孔周りを拡径孔を穿孔する作業において、既設の孔周の径、及び形状に問わず容易に拡径孔の作業ができる工具を提供するものである【解決手段】  コアドリル等拡径孔装置に、既設の孔周りに嵌めた状態で整えるよう伸縮自在にできる嵌装部を設ける。前記嵌装部の中心付近にコアドリルのセンタードリル、又はケンター釘などを挿入して保持できるように保持孔を設けることで、既設の孔より拡大の孔を開けることにおいて、コアドリル等の拡径孔装置全体が不安定にならず拡径孔の作業が容易にできる構成である。【選択図】図１
2009113192.tif 000002
【特許請求の範囲】
【請求項１】
壁面、天井面などの既設の孔に嵌装して拡径孔する装置において、既設孔に係止できる保持部を備えた長方形状の板に長手方向中心線に沿うように開口部を形成する。
前記板を複数用いて併設することで、重なり合った前記開口部に半固定金具を取付ける。前記半固定金具の回動部を正逆に回すことで左右、又は上下伸縮自在にできる伸縮嵌装部を構成する。
また、前記半固定金具の中心にコアドリルのセンタードリル、又はセンター釘を保持する挿入孔を設けたことを特徴とするコアドリル等拡径孔装置。
【請求項２】
前記保持部の長さを調整できるようにして、前記保持部の下端を咬持できるように係止片を設けることで壁、及び天井の既設の孔の様々な厚みに対応して嵌装できることを特徴とする請求項１記載のコアドリル等拡径孔装置。
【請求項３】
前記開口部に取付けた前記半固定金具を取外し出来るようにして、前記挿入孔と異なる孔径を備えた半固定金具と交換できるようにして、別のコアドリルのセンタードリル、又はセンター釘等の太さに合わせることができるように設けたことを特徴とする請求項１、２記載のコアドリル等拡径孔装置。
【発明の詳細な説明】
【技術分野】
【０００１】  本発明は、モルタル、木造、ＡＬＣ等の建造物において、壁面等の既設の孔口の拡大径孔に穿設する装置に関するものである。
【背景技術】
【０００２】  従来、エアコン用、ダウンライト、水道等の目的において穿設する作業において、コアドリルを使うことが一般てきである。【０００３】  しかし、一度穿設した径寸法や既設の孔口を使用において径寸法が小さいときに、コアドリル等のセンタードリル、またはセンター釘を用いて穿設作業においてセンター部を保持することができず困難をきたすものである。従って、回し引き、あるいは鑢などの他のものを用いて手作業にて行うもので手間の掛かる工事となる。【０００４】  そこで、これらのことを解決するものに、以下のようなものが広報によって知られている。
従来には、一端にドリル装置の駆動軸側に取着するシャンクを有し他端にコアドリルの基端とセンタードリルの基端を同芯状に着脱自在に取着することができる着脱装置を有するコアドリルの拡大径穿設装置において、着脱装置の取着部に着脱可能な前記センタードリルの基端に形成されている被取着部と同じ構成の被取着部を両端部に有する、センターシャフトの一端の被取着部を、前記着脱装置の取着部に取着するとともに、センターシャフトの他端の被取着部に、同一の構成を有する別の着脱装置を取着しこの着脱装置に既設の孔に等しい外形を有するコアドリルを取付ける装置が提供されている。（例えば特許文献１）
また、拡径孔作業において補助具周面に、既設の孔部に嵌装される嵌装部を設け、補助具上面に、コアドリルのセンタードリル、又はセンターピンを保持する保持部を設けた装置が提供されている。（例えば特許文献２）【０００５】
【特許文献１】  特開２００７−３８３５１号広報
【特許文献２】  特開２００１−９６１９号広報
【発明の開示】
【発明が解決しようとする課題】
【０００６】  しかしながら、従来の拡径孔装置にも下記のような問題がある。
特許文献１において、既設の孔径と同じ径のコアドリルが要求とすることで、多種のコアドリルの必要となり実際には不便である。
特許文献１、特許文献２において、既設の孔が円形状でなければ利用が困難である。さらに、既設の孔のセンターを様々に移動することが出来ないものである。
特許文献２において、既設の孔の位置が手前斜面の孔口や、天井面であった状態では利用が困難となる。【０００７】  そこで本発明は、上記の課題に鑑みモルタル木造、ＡＬＣ等の建造物におけるエアコン、水道、及びガス等の既設の孔を拡径孔に穿設において、様々な円形、楕円、及び不規則径の孔であっても、コアドリルのセンタードリル、及びセンター釘を保持する装置を容易に嵌装して効率よい拡径孔作業を提供するものである。
【課題を解決するための手段】
【０００８】  上記目的を達成するために、本発明はモルタル木造、ＡＬＣ等の建造物における壁面、天井面などの既設の孔に嵌装して拡径孔にする装置において、既設の孔に係止できる保持部を備えた長方形状の板に長手方向中心線に沿うように開口部を形成する。
前記板を複数用いて併設することで、重なり合った前記開口部に半固定金具を取付ける。前記半固定金具の回動部を正逆に回すことで左右、又は上下伸縮自在にできる伸縮嵌装部を構成する。
又、前記半固定金具の中心にコアドリルのセンタードリル、又はセンター釘を保持する挿入孔を設けたことで、コアドリル等によって効率の良い拡径孔作業ができることを特徴とする。【０００９】  また、前記保持部の長さを調整できるようにして、前記保持部の端を咬持できるように係止片を設けることで壁、及び天井の既設の孔の様々な厚みに対応して嵌装できることで、コアドリル等拡径孔装置が外れることないことから、作業効率を上げることができることを特徴とする。【００１０】  また、前記開口部に取付けた前記半固定金具を取外し出来るようにして、前記挿入孔と異なる孔径と交換できるようにして、別のコアドリルのセンタードリル、又はセンター釘等の太さに合わせることができるように設けて、様々な拡径孔装置のセンター部を保持して利用できることを特徴とする。
【発明の効果】
【００１１】  以上説明したように構成されているので、以下に記載されているような効果を奏する。【００１２】  請求項１記載の発明によれば、本発明の装置によって既設の孔の径より大径の孔にする作業においても、また大径の作業のさい中心点を自在に移動することで全体の孔の位置をずらすことも容易にできる。さらに既設の孔が円形でない異形の孔においても、本装置の嵌装が簡単に出来ることでコアドリル等による拡大径の穿設することができるものである。【００１３】  請求項２記載の発明によれば、孔の内径に、係止片によって落下することなく嵌装で着ることで、天井面、あるいは斜傾の壁面などにおいても安定した状態で拡径孔の穿設作業が出来るものである。【００１４】  請求項３記載の発明によれば、コアドリル、ホルソー、又はサークルカッターのセンターピンの釘等の径が異なるものであっても、センターの挿入孔を交換することで、様々なドリルを使用できる。更に、経年変化によって挿入孔が削れて孔の径が変化しても、交換することでき経済的である。
【発明を実施するための最良の形態】
【００１５】  本発明の実施の形態について図面を参照して説明する。【００１６】  本発明に係る拡大径の穿設に伴う、コアドリル等拡径孔装置の実施例について図面を参照して説明する。【００１７】  図１〜図５までは本発明の第一実施例の図である。図１は正面図である。図２は図１の裏側から見た底面図、図３は円形状の既設の孔に、図５は円形と異なる孔に本発明のコアドリル等拡径孔装置を嵌めた実施の形態を示した正面図である。図４は本発明の拡径孔装置にコアドリルのセンタードリルを挿入孔の孔に挿入しようとする側面図である。【００１８】  第一実施例における図中の１Ａは長方形の金属板による上部伸縮嵌装板で、裏面の一端に壁の孔に持着する７Ａの保持部を設けて、前記保持部７Ａより長手方向中心線に沿うように２Ａの開口部を形成する。前記上部伸縮嵌装板１Ａに設けた前記上部開口部２Ａの裏面における両側にガイド用カバー１４を両側に設けて、保持部７Ａの反対側に１５のガイド口を設ける。
１Ｂは下部伸縮嵌装板で、上部伸縮嵌装板１Ａと同様の構造であるが、幅を小さくして上部伸縮嵌装板１Ａのガイド口１５よりガイド用カバー１４内に収めて前後にスライドできるように構成する。２Ｂの下部開口部、及び７Ｂの保持部は前記上部伸縮嵌装板１Ａと同様に下部伸縮嵌装板１Ｂに設ける。以上の如く前記上部伸縮嵌装版１Ａと前記下部伸縮嵌装板１Ｂからなる伸縮嵌装部１である。
よって、前記上部伸縮嵌装板１Ａに前記下部伸縮嵌装板１Ｂに挿入し、前記上部開口部２Ａと前記下部開口部２Ｂに、前記半固定部である４のボルト固定部を取り付けて、８の固定爪付ナットによって締め付けて固定する。図１１、図１２に示す如く、３はボルト固定部４の中心にコアドリル９のセンタードリル１０を挿入するセンタードリル孔である。
また、５は目盛印字で６Ａと６Ｂは夫々の前記伸縮嵌装版の肩部である。【００１９】  なお、金属板を硬質樹脂製の板であっても同様に利用できるものである。【００２０】  したがって、上記構成により図３に示すように壁面１８の既設の孔１７に伸縮嵌装部１を嵌めるにあたり、既設の孔１７の半径ｒの値を上部伸縮嵌装板１Ａの目盛印字５を利用して保持部７Ａよりボルト固定部４のセンタードリル孔３の中心点の値（上部伸縮嵌装板１Ａの印字５の値）を既設孔の半径ｒと同値にする。一方下部伸縮嵌装板１Ｂの印字５の値ｙ（図３に示す）と上部伸縮嵌装板１Ａと下部伸縮嵌装板１Ｂの重なりの端よりセンタードリル孔３の中心点の値ｘ（図３に示す）をｒ＝ｘ＋ｙとする値にすることでボルト固定部４の固定爪付ナット８を締めて固定して既設の孔１７に嵌着する。【００２１】  また、図５に示す不規則な孔２４に嵌めるときにおいても前記に述べたと同様におこなうが、新設の孔２５の中心を移動するとき上部伸縮嵌装板１の値ｒ１をｒ１＞ｒの値とすると、ｘ１＋ｙ１の値をｒ１＞ｘ１＋ｙ１、又はｒ１＜ｒとするとき、ｒ１＜ｘ１＋ｙ１にする。したがって、既設孔１７に嵌着したセンタードリル孔３の中心点が移動することができる。
この状態で新設の拡大径の穿設するコアドリル９のセンタードリル１０をセンタードリル孔３に挿入してコアドリル９を回転する。このときセンタードリル１０は伸縮嵌装部１によってズレルことなく正確な円運動によって、新設である拡大径の孔２５の穿設作業をおこなうことがものである。【００２２】  また、図６、図７、図８及び図９は第２実施例を示すもので、図６はネジ式保持部によって壁の厚みに挟着した状態のコアドリル等拡径孔装置の側面図である。
図７はネジ式保持部における拡大部分図である。図８は図６のコアドリル等拡径孔装置を壁の厚みにネジ式保持部の係止片締付ナットによって挟着した部分の側面図である。図９は図６の正面図である。【００２３】  図６における。１１Ａは上部伸縮嵌装板、及び１１Ｂは下部伸縮嵌装板において、第一実施例の前記保持部７Ａ、７Ｂの部分に強固に挟着するようにネジを軸にしたネジ式保持部２２Ａ、及び２２Ｂを備えた伸縮嵌装部１１にして、ネジ式保持部２２の下部に１９の係止片を取付ける。また前記ネジ式保持部２２の上部、及び下部伸縮嵌装板１１Ａ、１１Ｂの表面のネジ軸に、２１の係止片締付ナット取付け、係止片締付ナット２１の下に２３の圧力バネを設ける。さらに、ネジ軸上端に下部の係止片１９を回転させる２０の係止片回転ツマミを設ける。。【００２４】  したがって、上記構成により既設の孔１７に図６、図９からなるネジ式保持部２２を備えた伸縮嵌装部１１のコアドリル等拡径孔装置を上部伸縮嵌装版１１Ａと下部伸縮嵌装板１１Ｂを調整して既設の孔１７の径に合わせてボルト固定４の固定爪付ナット８によって固定して整える。よって、図８に示すように既設の孔１７に嵌めて、係止片回転ツマミ２０を回して係止片１９を壁１８端の方向に向けて、係止締付ナット２１を締付方向に回して係止片１９と肩部１６Ａ、及び１６Ｂの間によって壁１８端を挟着して前記コアドリル等拡径孔装置を固定する。
前記コアドリル等拡径孔装置のボルト固定部４のセンタードリル孔３にコアドリル９のセンタードリル１０を入れる。【００２５】  以上の如くセットした状態でドリルの回転動作をしても、安定した拡大孔を穿設するものである
また、天井面の孔、斜面の孔に対しても脱落することなく、ずれる事もなく容易に穿設作業をおこなうことができる。【００２６】  なお、図１０において夫々ネジ式保持部２２Ａ、２２Ｂを備えた上部伸縮嵌装板１１Ａと下部伸縮嵌装板１１Ｂの伸縮嵌装部１１と、保持部７Ａを備えた上部伸縮嵌装板１Ａと下部伸縮嵌装板１Ｂの伸縮嵌装部１をボルト固定部４の中心として、図１０の示すように構成する。
したがってこの構成により、壁面等の既設の孔１７に嵌める。この状態で各ネジ式保持部２２Ａ、２２Ｂによって締めて狭着する。また保持部７Ａ、７Ｂに接触することによって強固に嵌装することができる。【００２７】  以上のことから、大径の既設の孔においても極めて安定した状態で嵌装でき、新設の拡大孔を開けることができるものである。【００２８】  また、第３実施例において、図１１、図１２に示すボルト固定部４のセンタードリル孔３において、センタードリル１０の径が異なる径のとき、あるいはサークルカッター等の切削工具のセンタードリル、センター釘を利用によってセンタードリル３の径が小さい径に合うボルト固定部４と交換出来る様にする事で、様々な用途に対応出来るようにするものである。【００２９】  以上のことから、既設の孔より拡大孔の穿設作業を様々な条件に効率的対応ができ、更に経済的である。
【図面の簡単な説明】
【００３０】
【図１】  本発明の第一実施例を示す正面図である。
【図２】  本発明の第一実施例を示す図で、裏側から見た底面図である。
【図３】  本発明のコアドリル等拡径孔装置を壁面の円形孔に嵌めた正面図である。
【図４】  図３の状態にコアドリルのセンタードリルをセンタードリル孔に挿入しようとする側面図である。
【図５】  本発明のコアドリル等拡径穴装置を不規則孔に嵌めた正面図である。
【図６】  本発明の第二実施例を示す側面図である。
【図７】  本発明の第二実施例を示すネジ式保持部の部分拡大斜視図である。
【図８】  図７の部分において壁孔の端を挟着した状態の拡大側面図である。
【図９】  第二実施例の正面図である。
【図１０】  伸縮嵌装板を複数（４枚）で構成したコアドリル等拡径孔装置正面図である。
【図１１】  ボルト固定部と固定爪付ナットの側面図である。
【図１２】  ボルト固定部に固定爪付ナットを着けた正面図である。
【符号の説明】
【００３１】  １Ａ、１１Ａは上部伸縮嵌装板              １Ｂ、１１Ｂは下部伸縮嵌装板
２Ａ、１２Ａは上部開口部                  ２Ｂ、１２Ｂは下部開口部
３はセンタードリル孔                      ４はボルト固定部
５は目盛印字                              ６Ａ、１６Ａ、６Ｂ、１６Ｂは肩部
７Ａ、７Ｂは保持部                        ８は固定爪付ナット
９はコアドリル                            １０はセンタードリル
１４はガイド用カバー                      １５はガイド口
１７は既設の孔                            １８は壁面
１９は係止片                              ２０は係止片回転ツマミ
２１は係止片締付ナット                    ２２Ａ、２２Ｂはネジ式保持部
２３は圧力バネ                            ２４は不規則孔
２５は新設の孔
【図１】
2009113192.tif 000003
【図２】
2009113192.tif 000004
【図３】
2009113192.tif 000005
【図４】
2009113192.tif 000006
【図５】
2009113192.tif 000007
【図６】
2009113192.tif 000008
【図７】
2009113192.tif 000009
【図８】
2009113192.tif 000010
【図９】
2009113192.tif 000011
【図１０】
2009113192.tif 000012
【図１１】
2009113192.tif 000013
【図１２】
2009113192.tif 000014